(57)【要約】【課題】  カメラ画像の閲覧時における電波の受信状態に影響されることなく、撮影場所付近の地図画像を表示することができる携帯情報端末を提供する。【解決手段】  撮影操作に基づいて被写体を撮影し、カメラ画像を生成するカメラ１０４と、撮影操作に基づいてＧＰＳ衛星からの信号を受信し、このＧＰＳ信号の受信結果に基づいて現在位置情報を生成する位置情報取得手段と、地図情報提供サイトにアクセスし、現在位置情報に基づいて地図画像を取得する地図画像取得手段と、現在位置情報及び地図画像をカメラ画像に関連付けて記憶させる撮影地情報登録手段により構成される。【選択図】  図３
2010154047.tif 000002
【特許請求の範囲】
【請求項１】
撮影操作に基づいて被写体を撮影し、カメラ画像を生成する撮像手段と、
上記撮影操作に基づいてＧＰＳ衛星からの信号を受信し、上記信号の受信結果に基づいて現在位置情報を生成する位置情報取得手段と、
地図情報提供サイトにアクセスし、上記現在位置情報に基づいて地図画像を取得する地図画像取得手段と、
上記現在位置情報及び上記地図画像を上記カメラ画像に関連付けて記憶させる撮影地情報登録手段とを備えたことを特徴とする携帯情報端末。
【請求項２】
上記位置情報取得手段によって判定された現在位置を方向キーの操作に基づいて調整する撮影地情報調整手段を備え、
上記撮影地情報登録手段が、上記撮影地情報調整手段による調整後の現在位置を上記カメラ画像に関連付けて記憶させることを特徴とする請求項１に記載の携帯情報端末。
【請求項３】
上記位置情報取得手段は、一定の繰返し間隔でＧＰＳ衛星からの信号を受信して現在位置情報を生成し、上記撮影操作時の受信結果からは現在位置が判定できなかった場合に、過去の判定結果に基づいて上記現在位置情報を生成することを特徴とする請求項１に記載の携帯情報端末。
【請求項４】
上記位置情報取得手段は、一定の繰返し間隔でＧＰＳ衛星からの信号を受信して現在位置情報を生成し、
上記撮影地情報登録手段は、上記位置情報取得手段が上記撮影操作時の受信結果からは現在位置が判定できなかった場合に、当該撮影操作後に最初に判定できた位置を現在位置として上記カメラ画像に関連付けて記憶させることを特徴とする請求項１に記載の携帯情報端末。
【請求項５】
上記カメラ画像を選択するカメラ画像選択手段と、
撮影地情報の表示操作に基づいて、選択中の上記カメラ画像に対応する地図画像を表示する地図画像表示手段と、
上記位置情報取得手段が上記撮影地情報の表示操作に基づいてＧＰＳ衛星からの信号を受信して生成した現在位置情報に基づいて、当該表示操作時の現在位置から上記撮影操作時の現在位置までの経路を上記地図画像上に表示するナビゲーション表示手段とを備えたことを特徴とする請求項１に記載の携帯情報端末。
【発明の詳細な説明】
【技術分野】
【０００１】
本発明は、携帯情報端末に係り、さらに詳しくは、ＧＰＳ衛星からの信号を受信して現在位置を判定することができるカメラ付携帯情報端末の改良に関する。
【背景技術】
【０００２】
被写体を撮影してカメラ画像を生成し、また、ＧＰＳ（Global Positioning System：全地球測位システム）衛星からの信号を受信して現在位置を判定することができる携帯電話機が従来から知られている。また、特許文献１から３には、写真撮影した際に位置情報を取得し、カメラ画像に関連付けて記憶する撮像装置が記載されている。
【０００３】
最近では、写真撮影後のキー操作に基づいてＧＰＳ衛星からの信号を受信し、受信結果から現在位置を判定してその位置情報をカメラ画像に関連付けて記憶する携帯電話機が提案されている。この携帯電話機では、カメラ画像の閲覧時に、地図情報を提供するウェブサイトに接続して、カメラ画像に関連付けて保持されている位置情報を送信すれば、撮影場所付近の地図画像を取得して表示させることができる。
【特許文献１】特開平１１−１５０６５号公報
【特許文献２】特開２０００−２６１７０４号公報
【特許文献３】特開２００１−１５７０９８号公報
【発明の開示】
【発明が解決しようとする課題】
【０００４】
上述した様な従来の携帯情報端末では、カメラ画像の閲覧時に、撮影場所付近の地図画像を表示させる場合、地図情報を提供するウェブサイトに接続して地図画像を取得しなければならなかった。このため、電波の受信状態によってはウェブサイトへの接続ができず地図画像を表示できないという問題があった。
【０００５】
本発明は、上記事情に鑑みてなされたものであり、カメラ画像の閲覧時における電波の受信状態に影響されることなく、撮影場所付近の地図画像を表示することができる携帯情報端末を提供することを目的としている。特に、カメラ画像を選択して撮影地情報の表示を指示すれば、撮影場所付近の地図画像を表示させることができる携帯情報端末を提供することを目的としている。また、撮影時の現在位置情報を取得する際の操作性を向上させた携帯情報端末を提供することを目的としている。
【課題を解決するための手段】
【０００６】
第１の本発明による携帯情報端末は、撮影操作に基づいて被写体を撮影し、カメラ画像を生成する撮像手段と、上記撮影操作に基づいてＧＰＳ衛星からの信号を受信し、上記信号の受信結果に基づいて現在位置情報を生成する位置情報取得手段と、地図情報提供サイトにアクセスし、上記現在位置情報に基づいて地図画像を取得する地図画像取得手段と、上記現在位置情報及び上記地図画像を上記カメラ画像に関連付けて記憶させる撮影地情報登録手段とを備えて構成される。この様な構成によれば、撮影操作に基づいてＧＰＳ衛星からの信号を自動的に受信して現在位置情報が生成されるので、撮影時の現在位置情報を取得する際の操作性を向上させることができる。また、地図情報提供サイトにアクセスして取得した地図画像が現在位置情報と共にカメラ画像に関連付けて記憶されるので、カメラ画像を選択して撮影地情報の表示を指示すれば、撮影場所付近の地図画像を表示させることができる。
【０００７】
第２の本発明による携帯情報端末は、上記構成に加え、上記位置情報取得手段によって判定された現在位置を方向キーの操作に基づいて調整する撮影地情報調整手段を備え、上記撮影地情報登録手段が、上記撮影地情報調整手段による調整後の現在位置を上記カメラ画像に関連付けて記憶させるように構成される。この様な構成によれば、方向キーを操作することによって地図画像上の現在位置を調整できるので、ＧＰＳ衛星からの信号の受信結果から判定した現在位置に大きなズレが生じた場合に現在位置を修正することができる。
【０００８】
第３の本発明による携帯情報端末は、上記構成に加え、上記位置情報取得手段が、一定の繰返し間隔でＧＰＳ衛星からの信号を受信して現在位置情報を生成し、上記撮影操作時の受信結果からは現在位置が判定できなかった場合に、過去の判定結果に基づいて上記現在位置情報を生成するように構成される。この様な構成によれば、撮影操作時の受信結果からは現在位置が判定できなかった場合に、過去の判定結果に基づいて現在位置情報を生成するので、撮影時に建物内などにいてＧＰＳ衛星からの信号が受信できなかった場合であっても、現在位置情報を得ることができる。
【０００９】
第４の本発明による携帯情報端末は、上記構成に加え、上記位置情報取得手段が、一定の繰返し間隔でＧＰＳ衛星からの信号を受信して現在位置情報を生成し、上記撮影地情報登録手段が、上記位置情報取得手段が上記撮影操作時の受信結果からは現在位置が判定できなかった場合に、当該撮影操作後に最初に判定できた位置を現在位置として上記カメラ画像に関連付けて記憶させるように構成される。この様な構成によれば、撮影操作時の受信結果からは現在位置が判定できなかった場合に、撮影操作後に最初に判定できた位置を現在位置としてカメラ画像に関連付けて記憶されるので、撮影時に建物内などにいてＧＰＳ衛星からの信号が受信できなかった場合であっても、現在位置情報を得ることができる。
【００１０】
第５の本発明による携帯情報端末は、上記構成に加え、上記カメラ画像を選択するカメラ画像選択手段と、撮影地情報の表示操作に基づいて、選択中の上記カメラ画像に対応する地図画像を表示する地図画像表示手段と、上記位置情報取得手段が上記撮影地情報の表示操作に基づいてＧＰＳ衛星からの信号を受信して生成した現在位置情報に基づいて、当該表示操作時の現在位置から上記撮影操作時の現在位置までの経路を上記地図画像上に表示するナビゲーション表示手段とを備えて構成される。この様な構成によれば、カメラ画像の選択後の撮影地情報の表示操作に基づいて、表示操作時の現在位置から撮影操作時の現在位置までの経路が地図画像上に表示されるので、撮影場所までの道筋を容易に認識することができる。
【発明の効果】
【００１１】
本発明による携帯情報端末によれば、撮影操作に基づいてＧＰＳ衛星からの信号を自動的に受信して現在位置情報が生成されるので、撮影時の現在位置情報を取得する際の操作性を向上させることができる。また、地図情報提供サイトにアクセスして取得した地図画像が現在位置情報と共にカメラ画像に関連付けて記憶されるので、カメラ画像を選択して撮影地情報の表示を指示すれば、撮影場所付近の地図画像を表示させることができる。従って、カメラ画像の閲覧時における電波の受信状態に影響されることなく、撮影場所付近の地図画像を表示することができる。
【発明を実施するための最良の形態】
【００１２】
図１（ａ）及び（ｂ）は、本発明の実施の形態による携帯情報端末の概略構成の一例を示した図であり、携帯情報端末の一例としてＧＰＳ機能を有するカメラ付の携帯電話機１が示されている。図１（ａ）には、表示筐体１００及び操作筐体２００を展開させたオープン状態の場合が示され、図１（ｂ）には、両筐体を折り畳んだクローズ状態の場合が示されている。
【００１３】
この携帯電話機１は、折り畳み式の携帯電話機であり、ディスプレイ１０１を有する表示筐体１００と、複数の操作キー２０１を有する操作筐体２００と、表示筐体１００及び操作筐体２００を連結するヒンジ部３００からなる。
【００１４】
ディスプレイ１０１は、表示筐体１００の一主面に配置された表示装置である。表示筐体１００には、ディスプレイ１０１と同じ側に受話用のレシーバ１０２、反対側にサブディスプレイ１０３及びカメラ１０４が配置されている。
【００１５】
操作筐体２００には、レリーズボタン２０３、方向キー２０４などの操作キー２０１の他に、送話用のマイクロホン２０２が配置されている。カメラ１０４は、被写体を撮影してカメラ画像を生成する撮像手段であり、レリーズボタン２０３を操作することによってカメラ画像が保存用に取り込まれる。ここでは、レリーズボタン２０３を操作することを撮影操作と呼ぶことにする。つまり、カメラ画像は、ユーザによる撮影操作に基づいて撮影された写真画像である。
【００１６】
方向キー２０４は、上下左右の押圧部位に応じて異なる入力が可能な操作キーであり、例えば、方向入力の際に用いられる。
【００１７】
図２は、図１の携帯電話機１の構成例を示したブロック図であり、携帯電話機１内の機能構成の一例が示されている。この携帯電話機１は、ディスプレイ１０１、レシーバ１０２、マイクロホン２０２、カメラ１０４、レリーズボタン２０３及び方向キー２０４の他に、セルラー通信部１１、端末制御部１２及びＧＰＳ受信部１３を備えて構成される。
【００１８】
セルラー通信部１１は、アンテナを介して基地局との間で電波の送受信を行っている。ＧＰＳ受信部１３は、レリーズボタン２０３の操作による撮影操作信号に基づいてＧＰＳ衛星からの信号を受信し、このＧＰＳ信号の受信データを端末制御部１２へ出力する動作を行っている。
【００１９】
端末制御部１２では、撮影操作に基づいてカメラ１０４に撮影を指示し、カメラ画像を取得する動作が行われる。また、撮影操作に基づいてＧＰＳ受信部１３にＧＰＳ信号の受信を指示し、ＧＰＳ信号の受信データに基づいて現在位置を判定する動作が行われる。また、地図情報の提供サイトへの接続が所定のキー操作によって指示されれば、セルラー通信部１１を介して当該サイトにアクセスし、地図画像を取得する動作が行われる。
【００２０】
図３は、図２の携帯電話機１の要部における構成例を示したブロック図であり、端末制御部１２内の機能構成の一例が示されている。この端末制御部１２は、位置情報生成部２１、地図画像取得部２２、撮影地情報登録部２３、撮影地情報記憶部２４、撮影地情報調整部２５、カメラ画像選択部２６、地図画像表示部２７及びナビゲーション表示部２８により構成される。
【００２１】
位置情報生成部２１は、ＧＰＳ信号の受信データに基づいて、現在位置を判定し、現在位置情報を生成する動作を行っている。現在位置は、複数のＧＰＳ衛星からの信号の受信結果を解析することによって判定され、例えば、緯度及び経度によって表される。ＧＰＳ信号の受信は、撮影操作に基づいて行われるので、撮影操作時における携帯電話機１の位置を現在位置として判定することができる。
【００２２】
地図画像取得部２２は、地図情報提供サイトにアクセスし、位置情報生成部２１からの現在位置情報に基づいて地図画像を取得する動作を行っている。例えば、撮影操作時の現在位置を含む周辺エリアの地図画像が取得される。ここでは、地図情報提供サイトへのアクセスが、所定のキー操作によるサイト接続の指示に基づいて行われるものとする。
【００２３】
撮影地情報登録部２３は、位置情報生成部２１からの現在位置情報と、地図画像取得部２２によって取得された地図画像とを撮影地情報としてカメラ画像に関連付けて撮影地情報記憶部２４に記憶させる動作を行っている。この撮影地情報の登録処理は、例えば、所定のキー操作による画面メモの登録操作に基づいて実行される。
【００２４】
撮影地情報調整部２５は、位置情報生成部２１によって判定された現在位置を方向キー２０４の操作に基づいて調整する動作を行っている。これにより、ＧＰＳ信号の受信結果から判定された現在位置に大きなズレが生じていた場合に、方向キー２０４を操作することによって地図画像上の現在位置を修正することができる。撮影地情報登録部２３では、撮影地情報調整部２５による調整後の現在位置をカメラ画像に関連付けて記憶させる動作が行われる。
【００２５】
ここでは、ＧＰＳ受信部１３が、一定の繰返し間隔でＧＰＳ衛星からの信号を受信し、位置情報生成部２１が、その受信結果に基づいて現在位置情報を生成するものとする。そして、撮影操作時の受信結果からは現在位置が判定できなかった場合に、過去の判定結果に基づいて現在位置情報を生成する動作が行われる。
【００２６】
例えば、過去の判定履歴から移動距離を推定し、移動距離が閾値よりも短ければ、最後に判定された位置を現在位置として登録する動作が行われる。これにより、撮影操作時に建物内にいてＧＰＳ信号が受信できないようなケースであっても、現在位置情報を得ることができる。
【００２７】
或いは、撮影操作時の受信結果からは現在位置が判定できなかった場合に、撮影地情報登録部２３が、当該撮影操作後に最初に判定できた位置を現在位置としてカメラ画像に関連付けて撮影地情報記憶部２４に記憶させるようにしても良い。
【００２８】
カメラ画像選択部２６は、カメラ１０４によって撮影されメモリ上に保持されているカメラ画像を所定のキー操作に基づいて選択する動作を行っている。
【００２９】
地図画像表示部２７は、所定のキー操作によって撮影地情報の表示が指示された場合に、カメラ画像選択部２６によって選択されているカメラ画像に対応する地図画像を撮影地情報記憶部２４から読み出し、ディスプレイ１０１の閲覧画面上に表示する動作を行っている。ここでは、撮影地情報の表示を指示するためのキー操作を撮影地情報の表示操作と呼ぶことにする。つまり、カメラ画像に関連付けて保持されている地図画像は、ユーザによる撮影地情報の表示操作に基づいて表示される。
【００３０】
ここでは、ＧＰＳ受信部１３が、撮影地情報の表示操作に基づいてＧＰＳ信号を受信し、位置情報生成部２１がその受信結果に基づいて現在位置情報を生成するものとする。ナビゲーション表示部２８は、ＧＰＳ受信部１３が撮影地情報の表示操作によってＧＰＳ信号を受信し、位置情報生成部２１がその受信結果から生成した現在位置情報に基づいて、当該表示操作時の現在位置から撮影操作時の現在位置までの経路を地図画像上に表示する動作を行っている。
【００３１】
これにより、カメラ画像の選択後の撮影地情報の表示操作によって、表示操作時の現在位置から撮影操作時の現在位置までの経路が地図画像上に表示されるので、撮影場所までの道筋を容易に認識することができる。
【００３２】
図４は、図２の携帯電話機１における撮影地情報の表示時の動作の一例を示した図であり、ディスプレイ１０１上の閲覧画面３１が示されている。この閲覧画面３１は、カメラ画像の選択後、撮影地情報の表示操作に基づいて表示されるナビゲーション画面であり、地図画像３２上に表示操作時の現在位置３３から撮影操作時の現在位置３４までの経路３５が表示されている。
【００３３】
現在位置３４は、撮影操作に基づいて受信したＧＰＳ信号の受信結果から判定された位置であるのに対して、現在位置３３は、撮影地情報の表示操作に基づいて受信したＧＰＳ信号の受信結果から判定された位置である。地図画像３２は、現在位置３３又は３４に基づいて地図情報提供サイトから取得した画像である。
【００３４】
図５のステップＳ１０１〜Ｓ１１１は、図２の携帯電話機１における撮影時の動作の一例を示したフローチャートである。まず、カメラ１０４は、レリーズボタン２０３が操作されれば、被写体を撮影してカメラ画像を生成する（ステップＳ１０１，Ｓ１０２）。
【００３５】
ＧＰＳ受信部１３は、上記撮影操作に基づいてＧＰＳ信号を受信し、その受信結果を位置情報生成部２１へ出力する（ステップＳ１０３）。位置情報生成部２１は、撮影操作に基づく受信結果から現在位置が判定できれば、判定結果に基づいて現在位置情報を生成する（ステップＳ１０４）。
【００３６】
一方、位置情報生成部２１は、撮影操作に基づく受信結果からは現在位置が判定できなかった場合に、過去の判定結果を参照して移動距離を推定し、移動距離が閾値よりも短ければ、最後に判定できた位置を現在位置として登録する（ステップＳ１０４，Ｓ１０９〜Ｓ１１１）。移動距離が閾値よりも長い場合には、位置判定エラーを出力してこの処理を終了する。
【００３７】
次に、地図画像取得部２２は、サイト接続の指示があれば、地図情報提供サイトにアクセスし、現在位置情報に基づいて地図画像を取得する（ステップＳ１０５〜Ｓ１０７）。撮影地情報登録部２３は、地図画像取得部２２によって取得された地図画像と共に現在位置情報をカメラ画像に関連付けて記憶させる（ステップＳ１０８）。
【００３８】
本実施の形態によれば、撮影操作に基づいてＧＰＳ信号を自動的に受信して現在位置情報が生成されるので、撮影時の現在位置情報を取得する際の操作性を向上させることができる。また、地図情報提供サイトにアクセスして取得した地図画像３２が現在位置情報と共にカメラ画像に関連付けて記憶されるので、カメラ画像を選択して撮影地情報の表示を指示すれば、撮影場所付近の地図画像を表示させることができる。
【００３９】
また、撮影操作時の受信結果からは現在位置が判定できなかった場合に、過去の判定結果に基づいて現在位置情報を生成するので、撮影時に建物内などにいてＧＰＳ信号が受信できなかった場合であっても、現在位置情報を得ることができる。
【図面の簡単な説明】
【００４０】
【図１】本発明の実施の形態による携帯情報端末の概略構成の一例を示した図であり、携帯情報端末の一例としてＧＰＳ機能を有するカメラ付携帯電話機１が示されている。
【図２】図１の携帯電話機１の構成例を示したブロック図であり、携帯電話機１内の機能構成の一例が示されている。
【図３】図２の携帯電話機１の要部における構成例を示したブロック図であり、端末制御部１２内の機能構成の一例が示されている。
【図４】図２の携帯電話機１における撮影地情報の表示時の動作の一例を示した図であり、ディスプレイ１０１上の閲覧画面３１が示されている。
【図５】図２の携帯電話機１における撮影時の動作の一例を示したフローチャートである。
【符号の説明】
【００４１】
１  携帯電話機
１１  セルラー通信部
１２  端末制御部
１３  ＧＰＳ受信部
２１  位置情報生成部
２２  地図画像取得部
２３  撮影地情報登録部
２４  撮影地情報記憶部
２５  撮影地情報調整部
２６  カメラ画像選択部
２７  地図画像表示部
２８  ナビゲーション表示部
３１  閲覧画面
３２  地図画像
３３，３４  現在位置
３５  経路
１００  表示筐体
１０１  ディスプレイ
１０２  レシーバ
１０３  サブディスプレイ
１０４  カメラ
２００  操作筐体
２０１  操作キー
２０２  マイクロホン
２０３  レリーズボタン
２０４  方向キー
３００  ヒンジ部
【図１】
2010154047.tif 000003
【図２】
2010154047.tif 000004
【図３】
2010154047.tif 000005
【図４】
2010154047.tif 000006
【図５】
2010154047.tif 000007